(57)【特許請求の範囲】
【請求項１】
上面開口部を有する中枠収容部が設けられた容器本体と、この容器本体の中枠収容部に位置決めされた中枠と、この中枠に形成された中皿収容部に着脱自在に収容される中皿と、上記容器本体を蓋する蓋体とを備え、上記容器本体の上記中枠収容部を取り囲む周側壁のうち、前側壁に切り欠きによる部分的な開口部が設けられ、上記中枠が、その全体を中枠収容部内に収容した倒伏状態と、一端を中心に起立して他端が中枠収容部の上面開口部上に露呈した起立状態とを選択可能に構成され、上記中枠の他端部に、中皿を出し入れ自在に挿通しうる挿通口が形成され、上記中枠に、その起立状態で上記挿通口から挿入された中皿を中皿収容部に案内して抜け止め状に保持，収容し、この中皿収容部に収容した中皿を挿通口に案内しこの挿通口から取り出し可能にする案内・保持手段が設けられており、上記案内・保持手段が、上記中皿収容部の内周面に相対峙する状態で形成された一対の凸条と、上記中皿の外周面から相対峙する状態で突設され上記両凸条にスライド自在に載置，保持される一対の凸条と、上記中皿が上方に抜け出すのを防止するために上記中皿収容部の上面開口部に設けられた抜け止め部材とで構成され、上記抜け止め部材の少なくとも一部が、倒伏状態で上記本体の前側壁に当接するようになっていることを特徴とする化粧料容器。
【請求項２】
上記抜け止め部材が、上記中皿収容部に収容された状態の中皿に対応する部分に開口部が突設された天板からなる請求項１記載の化粧料容器。
【請求項３】
上記容器本体の前側壁に設けられた開口部に、上記中枠の前側壁の一部が手指を当接可能に配設されている請求項１または２記載の化粧料容器。
【請求項４】
上記中皿を中枠の中皿収容部に収容しこの中枠を容器本体の中枠収容部に収容した状態で上記中皿を中枠の中皿収容部に着脱自在に固定する固定手段が上記容器本体，中枠および中皿の少なくとも２つに設けられている請求項１〜３のいずれか一項に記載の化粧料容器。
【請求項５】
上記中皿を中枠の中皿収容部に着脱自在に固定する固定手段として、上記容器本体の底壁に、閉蓋状態で中皿の前側面下端部に押圧状に当接する前側弾性板と、閉蓋状態で中皿の左右両側面下端部に押圧状に当接する左右一対の弾性板とが突設されるとともに、上記中枠の中皿収容部の後側壁に、左右一対の縦向き切り欠き部がその底面から上端縁部まで延びるように形成され、これら両縦向き切欠き部で挟まれた部分が後側弾性板に形成されている請求項４記載の化粧料容器。
【発明の詳細な説明】
【技術分野】
【０００１】
本発明は、化粧料容器に関するものである。
【背景技術】
【０００２】
従来から、ファンデーション等の化粧料を収容する各種の化粧料容器として、図３４に示すようなコンパクトが提案されている。このコンパクトは、容器本体３１と、この容器本体３１の上端開口を塞ぐ蓋体３２と、上記容器本体３１内に嵌合される中枠３３と、この中枠３３内に係脱自在に組み付けられる中皿３４とを備えており、上記中枠３３の左右方向中央部に隔壁３５を設けて上記中枠３３内を左側の中皿収納部３６と右側のパフ収納部３７とに仕切り、上記中枠３３の左側壁３３ａに前後一対の第一弾性片３８および第二弾性片（図示せず）を形成し、上記中枠３３の中皿収納部３６に中皿３４を組み付ける際には、上記左側壁３３ａの第一弾性片３８と隔壁３５との間に中皿３４を押し込んで係合させるようにしている。そして、上記中皿収納部３６に中皿３４を組み付けた状態では、第一弾性片３８および第二弾性片の弾性力により中皿３４が隔壁３５に向かって押圧されており、この押圧力（すなわち、上記弾性力）により隔壁３５，第一弾性片３８間に保持されるようにしている（例えば、特許文献１参照）。
【特許文献１】特開平１１−２０６４４４号公報
【発明の開示】
【発明が解決しようとする課題】
【０００３】
しかしながら、上記のコンパクトでは、中皿３４が、上記弾性力により隔壁３５に向かって押圧された状態で、中皿収納部３６に収容，保持されているため、上記のコンパクトを床上等に落下等させて容器本体３１の底壁を床上等に衝突させてしまうと、この衝突時の衝撃等が容器本体３１の底壁に作用し、上記弾性力に抗して中皿３４が隔壁３５，両弾性片３８から外れて蓋体３２等の周囲の他物に当たり、中皿３４や中皿３４に収納した化粧料（図示せず）が破損等するという問題がある。しかも、中皿３４を中皿収納部３６に組み付けるため、中皿３４を隔壁３５，第一弾性片３８間に押し込む際に、手指が化粧料の表面に触れて、手指が汚れたり、化粧料が変形したりしやすく、取り扱いが難しいという問題もある。
【０００４】
本発明は、このような事情に鑑みなされたもので、落下時の衝撃等で中皿が中枠から外れることがなく、しかも、組み付け時に手指が化粧料の表面に触れることがない化粧料容器の提供をその目的とする。
【課題を解決するための手段】
【０００５】
上記の目的を達成するために、本発明の化粧料容器は、上面開口部を有する中枠収容部が設けられた容器本体と、この容器本体の中枠収容部に位置決めされた中枠と、この中枠に形成された中皿収容部に着脱自在に収容される中皿と、上記容器本体を蓋する蓋体とを備え、上記容器本体の上記中枠収容部を取り囲む周側壁のうち、前側壁に切り欠きによる部分的な開口部が設けられ、上記中枠が、その全体を中枠収容部内に収容した倒伏状態と、一端を中心に起立して他端が中枠収容部の上面開口部上に露呈した起立状態とを選択可能に構成され、上記中枠の他端部に、中皿を出し入れ自在に挿通しうる挿通口が形成され、上記中枠に、その起立状態で上記挿通口から挿入された中皿を中皿収容部に案内して抜け止め状に保持，収容し、この中皿収容部に収容した中皿を挿通口に案内しこの挿通口から取り出し可能にする案内・保持手段が設けられており、上記案内・保持手段が、上記中皿収容部の内周面に相対峙する状態で形成された一対の凸条と、上記中皿の外周面から相対峙する状態で突設され上記両凸条にスライド自在に載置，保持される一対の凸条と、上記中皿が上方に抜け出すのを防止するために上記中皿収容部の上面開口部に設けられた抜け止め部材とで構成され、上記抜け止め部材の少なくとも一部が、倒伏状態で上記本体の前側壁に当接するようになっているという構成をとる。
【発明の効果】
【０００６】
すなわち、本発明の化粧料容器は、上面開口部を有する中枠収容部が設けられた容器本体と、この容器本体の中枠収容部に位置決めされた中枠と、この中枠に形成された中皿収容部に着脱自在に収容される中皿と、上記容器本体を蓋する蓋体とを備えている。そして、上記容器本体の上記中枠収容部を取り囲む周側壁のうち、前側壁に切り欠きによる部分的な開口部が設けられ、上記中枠が、その全体を中枠収容部内に収容した倒伏状態と、一端を中心に起立して他端が中枠収容部の上面開口部上に露呈した起立状態とを選択可能に構成され、上記中枠の他端部に、中皿を出し入れ自在に挿通しうる挿通口が形成され、上記中枠に、その起立状態で上記挿通口から挿入された中皿を中皿収容部に案内して抜け止め状に保持，収容し、この中皿収容部に収容した中皿を挿通口に案内しこの挿通口から取り出し可能にする案内・保持手段が設けられており、上記案内・保持手段が、上記中皿収容部の内周面に相対峙する状態で形成された一対の凸条と、上記中皿の外周面から相対峙する状態で突設され上記両凸条にスライド自在に載置，保持される一対の凸条と、上記中皿が上方に抜け出すのを防止するために上記中皿収容部の上面開口部に設けられた抜け止め部材とで構成され、上記抜け止め部材の少なくとも一部が、倒伏状態で上記本体の前側壁に当接するようになっている。このような本発明の化粧料容器において、上記中皿収容部に中皿を保持，収容する場合には、上記起立状態で中枠の挿通口から中皿を挿入し、この挿入した中皿の周側壁を手指で奥側に押し込むと、この押し込まれた中皿は案内・保持手段により中皿収容部に案内されてこの中皿収容部で抜け止め状に保持，収容される。また、上記中皿収容部に保持，収容された中皿を取り出す場合には、上記起立状態で中皿を手指で挿通口側に押し、もしくは引っ張ると、この押された、もしくは引っ張られた中皿は案内・保持手段により挿通口まで案内されて来るため、この案内されて来た中皿を手指で挿通口から取り出すことを行う。なお、本発明において、「中枠が、その全体を中枠収容凹部内に収容した倒伏状態」とは、倒伏状態で中枠の全体が完全に中枠収容凹部内に収容されている必要はなく、その一部分が中枠収容凹部外に飛び出していてもよい。また、本発明において、「起立状態」とは、中枠が垂直姿勢で立っている必要はなく、傾斜姿勢で立っていてもよい。
【０００７】
このように、本発明の化粧料容器では、中皿は案内・保持手段により中枠の中皿収容部に抜け止め状に保持，収容されているため、本発明の化粧料容器を床上等に落下等させて容器本体の底壁を床上等に衝突させてしまっても、中皿が中皿収容部から抜け出すことがなく、中皿や中皿に収容した化粧料を保護することができ、これらを破損等させることがない。しかも、中皿を中枠の挿通口から挿入する際には、中皿の周側壁を手指で押し込めばよいため、手指が化粧料の表面に触れることがなく、したがって、手指が汚れたり、化粧料が変形したりすることがなく、取り扱いが容易である。
【０００８】
また、上記案内・保持手段が、上記中皿収容部の内周面に相対峙する状態で形成された一対の凸条と、上記中皿の外周面から相対峙する状態で突設され上記両凸条にスライド自在に載置，保持される一対の凸部と、上記中皿が上方に抜け出すのを防止するために上記中皿収容部の上面開口部に設けられた抜け止め部材とで構成されているため、上記案内・保持手段を、上記中皿収容部に設けた一対の凸条，抜け止め部材と上記中皿に設けた一対の凸部とで構成することができ、構造が簡単である。
【０００９】
また、上記中皿を中枠の中皿収容部に収容しこの中枠を容器本体の中枠収容部に収容した状態で上記中皿を中枠の中皿収容部に着脱自在に固定する固定手段が上記容器本体，中枠および中皿の少なくとも２つに設けられていると、上記容器本体，中枠および中皿の少なくとも２つに設けた固定手段により、中皿を中枠の中皿収容部に着脱自在に固定することができる。
【発明を実施するための最良の形態】
【００１０】
つぎに、本発明の実施の形態を図面にもとづいて詳しく説明する。
【００１１】
図１は本発明の化粧料容器の一実施の形態を示している。図において、１は上面に平面視略長方形状の中枠収容凹部（中枠収容部）１ａが形成された容器本体（図２および図３参照）であり、図４〜図６に示すように、上記中枠収容凹部１ａの内周側面のうち左右両側面（上記中枠収容凹部１ａを取り囲む周側壁１１のうち左右両側壁１１ａ，１１ｂの内周面）の後端部に、後述する中枠２の両被係合用凹部２０にスライド自在でかつ回動自在に係合する円柱形状の係合用凸部１２が互いに相対峙する状態で突設されている。
【００１２】
また、上記容器本体１には、その周側壁１１のうち前側壁１１ｃの前部に前側凹部１３が形成されており、この前側凹部１３の奥面に、後述する蓋体５の係合爪（図示せず）に着脱自在に係合する凸部１３ａが突設されている。また、上記容器本体１には、その周側壁１１のうち後側壁１１ｄの後部に後側凹部１４が形成されており、この後側凹部１４内に、上記蓋体５の後端部から垂下するヒンジ連結部（図示せず）が挿通されているとともに、上記後側壁１１ｄに連結ピン（図示せず）を介してヒンジ連結されている。図４において、１５は上記前側凹部１３の奥壁１３ｂの右側部分に切欠き形成された開口部で、この開口部１５に上記中枠２の前側壁１９ｃの一部が手指を当接可能に配設されている。また、図６において、１４ａは上記後側壁１１ｄに穿設された連結ピン挿通穴である。
【００１３】
２は平面視略長方形状に形成された中枠（図７〜図１１参照）であり、上記容器本体１の中枠収容凹部１ａに着脱自在に収容されている。この中枠２には、その左右方向中央部に仕切壁１６が前後方向に延びるようにして形成されており、この仕切壁１６により上記中枠２内が、後述する中皿３を収容する左側の中皿収容部１７と、パフ等の化粧用具（図示せず）を収容する右側の化粧用具収容部１８とに仕切られている。
【００１４】
また、上記中枠２には、その外周側面のうち左右両側面（上記中枠２の周側壁１９のうち左右両側壁１９ａ，１９ｂの外周面）の後端部に、凹溝状の被係合用凹部２０（図１２参照。この図１２では、左側の被係合用凹部２０しか図示せず）が形成されている。これら両被係合用凹部２０は、上記中枠２の後側面から上記係合用凸部１２の直径と同じもしくはやや長い縦幅で、上記中枠２の底面に沿って前方に一直線状に延びており、その先端部は、上記係合用凸部１２を回動自在に収容しうる半円弧状湾曲面に形成されている。したがって、上記両係合用凸部１２は、上記両被係合用凹部２０内をその全横幅にわたってスライド自在であり、かつ上記両被係合用凹部２０のどの部分においても回動自在である。
【００１５】
また、上記中皿収容部１７は、その前面が開口しており（すなわち、上記中枠２の周側壁１９のうち前側壁１９ｃは、上記中皿収容部１７に対応する部分が切除されており）、この前面開口部が、上記中皿３を出し入れ自在に挿通しうる挿通口として形成されている。また、上記中皿収容部１７には、その内周側面のうち左右両側面（上記左側壁１９ａおよび仕切壁１６の内周面）の上部に相対峙する状態で、後述する中皿３のスライド用凸部２４をスライド自在に載置，保持する一対のレール（凸条）２１（図１２および図１３参照）が突設されている。なお、上記両レール２１，両スライド用凸部２４は本発明の化粧料容器の案内・保持手段の一部を構成している。
【００１６】
また、上記中皿収容部１７の上面開口部には、上記（中皿収容部１７に収容された状態の）中皿３に対応する部分に開口部１７ａが穿設された天板（抜け止め部材）２２が固定されている。この天板２２は、上記（中皿収容部１７に収容された状態の）中皿３の両スライド用凸部２４に対応する部分（すなわち、上記両スライド用凸部２４の上側）に配設された左右一対の帯状側板２２ａと、上記中皿収容部１７の後右角部，後左角部に配設された両角板２２ｂと、上記中皿収容部１７の前右角部，前左角部および前部に配設されこれら各部を一連に連結する前板２２ｃとで構成されており、中皿３を両レール２１にスライドさせて中皿収容部１７に案内する際には上記前板２２ｃ，両帯状側板２２ａで、また、中皿３を中皿収容部１７に収容している際には上記両帯状側板２２ａで、中皿３が上方に抜け出すのを防止するようにしている。なお、上記天板２２も本発明の化粧料容器の案内・保持手段の一部を構成している。
【００１７】
３は上記中枠２の中皿収容部１７に着脱自在に収容される平面視略長方形状の中皿（図１４〜図１６参照）であり、その内部に化粧料４が充填されている。この中皿３には、その上面開口部の外周側面のうち左右両側面（中皿３の周側壁のうち左右両側壁の上端部外周面）からこれに沿うようにして、上記中枠２の両レール２１にスライド自在に載置，保持される左右一対のスライド用凸部２４が突設されている。この中皿３の高さは、上記中枠２の中皿収容部１７の高さより低く形成されており、これにより、上記中枠２の中皿収容部１７に中皿３を収容した状態では、この中皿３の下面は上記中枠２の中皿収容部１７の下面開口部より上側に位置している。
【００１８】
５は上記容器本体１の上面を蓋する蓋体（図１参照）であり、その左右両側壁５ａ，５ｂの下面には、上記中枠２の左右両側壁１９ａ，１９ｂに対応する部分に、（上記左右両側壁５ａ，５ｂの内周面に開口する）左右一対の切欠き部２６が相対面する状態で形成されており、閉蓋状態では、上記両切欠き部２６で上記中枠２の左右両側壁１９ａ，１９ｂを押圧，固定するようにしている。また、上記蓋体の前端部から、上記容器本体１の前側凹部１３の凸部１３ａに着脱自在に係合する係合爪が垂設されている。また、上記蓋体５の後端部からヒンジ連結部が垂設されており、上記容器本体１の後側壁１１ｄにヒンジ連結されている。図１において、６は上記蓋体５の裏面に取り付けられた鏡である。
【００１９】
上記構成において、上記容器本体１の中枠収容凹部１ａに中枠２を収容する場合には、まず、上記中枠２を、その後端部が下側となり前端部が上側となる傾斜姿勢にし（図１７参照）、ついで、上記容器本体１の両係合用凸部１２に中枠２の両被係合用凹部２０（図１７では、右側の被係合用凹部２０しか図示せず）を位置決めしながら、これら両被係合用凹部２０の一端開口から両被係合用凹部２０内に上記両係合用凸部１２を押し込んで両者を係合させたのち（図１８参照）、上記両被係合用凹部２０内で上記両係合用凸部１２を摺動させるようにして中枠２を後方に移動させながら、上記容器本体１の中枠収容凹部１ａ上に中枠２を位置決めし、上記両係合用凸部１２を中心にして中枠２を下方に回動させて中枠収容凹部１ａに収容することを行う。なお、この回動の際に、中枠２の前側壁１９ｃは容器本体１のうち前側壁１１ｃに当接しない。また、上記収容状態では、中皿３の下面は中枠収容凹部１ａの底面に当接しておらず、中皿３と容器本体１の底壁との間に隙間が形成されている。
【００２０】
一方、上記容器本体１の中枠収容凹部１ａから中枠２を取り出す場合には、中枠２の前側壁１９ｃの前面（のうち、前側凹部１３の奥壁の開口部１５に露呈している部分）を手指等で持ち上げる等し、上記両係合用凸部１２を中心にして中枠２を上方に回動させながら前側に引き出して、上記中枠収容凹部１ａから取り外すことができる。
【００２１】
また、上記中枠２の中皿収容部１７に中皿３を収容する場合には、まず、上記両係合用凸部１２を中心にして中枠２を上方に回動させて中枠２を、その中皿収容部１７の挿通口が上記中枠収容凹部１ａの上面開口部の上方に露呈する傾斜姿勢（起立状態）にし、ついで、上記中皿収容部１７の挿通口に中皿３を位置決めし、つぎに、この中皿３の両スライド用凸部２４を中皿収容部１７の両レール２１上に載置するようにして、中皿３を挿通口から挿入したのち、上記両レール２１上を摺動させながら奥側に押し込んで中皿収容部１７に収容することを行う（図１９〜図２１参照）。この収容状態では、上記中皿３の両スライド用凸部２４上に天板２２の両帯状側板２２ａが配設されているため、上記中皿３が上方に抜け出すことがない。また、収容ののち、上記したように、上記両係合用凸部１２を中心にして中枠２を下方に回動させて中枠収容凹部１ａに収容することを行う（図２２参照）。
【００２２】
また、上記中枠２の中皿収容部１７から中皿３を取り出す場合には、まず、上記中枠２を上記傾斜姿勢（起立状態）にし、ついで、中皿３の前面や底面等を手指で持つ等して手前側に引っ張ることを行う。これにより、中皿３が上記両レール２１上を摺動して中皿収容部１７の挿通口まで案内され、これにより、この案内されて来た中皿３を手指で取り出すことができる。
【００２３】
このように、上記実施の形態では、中皿３を中枠２の中皿収容部１７に抜け止め状に保持，収容しているため、化粧料容器を床上等に落下等させて容器本体１の底壁を床上等に衝突させてしまっても、中皿３が中皿収容部１７から抜け出すことがなく、中皿３や化粧料４を保護することができる。しかも、中皿３と容器本体１の底壁との間に隙間を設けているため、上記落下等させたときにもその衝撃が直接中皿３に伝わらず、落下強度に優れている。しかも、中皿３を中枠２の挿通口から挿入する際には、中皿３の周側壁を手指で押し込めばよいため、手指が化粧料４の表面に触れて、手指が汚れたり、化粧料４の表面が変形したりすることがなく、取り扱いが容易である。
【００２４】
図２３は本発明の化粧料容器の他の実施の形態を示している。この実施の形態では、容器本体１と中枠２に、中皿３を中枠２の中皿収容部１７に着脱自在に固定するための固定手段が設けられている。より詳しく説明すると、上記容器本体１の底壁には、図２４に示すように、前側壁１１ｃの近傍部分から、閉蓋状態で中皿３の前側面下端部に押圧状に当接する前側弾性板２７ａ（図２３参照）が突設されているとともに、閉蓋状態で中皿３の左右両側面下端部に押圧状に当接する左右一対の弾性板２７ｂ，２７ｃが突設されている。これら両弾性板２７ｂ，２７ｃのうち、左側弾性板２７ｂは容器本体の左側壁１１ａの近傍部分から突設され、右側弾性板２７ｃは、閉蓋状態の中枠２の仕切壁１６（図２５参照）に対応する部分から突設されている。図２３において、８は連結ピンで、２７ｅは、上記中枠２の後側壁１９ｄの後方に配設された後端壁である。
【００２５】
上記中枠２には、図２５に示すように、その中皿収容部１７の後側壁１９ｄに、左右一対の縦向き切欠き部１７ｂが上記後側壁１９ｄの底面から上端縁部まで延びるようにして形成されており、これら両縦向き切欠き部１７ｂで挟まれた部分が後側弾性板２８に形成されている。この後側弾性板２８には、その内側面下端部に、閉蓋状態で中皿３の後側面に押圧状に当接する一条の凸条２８ａが突設されている。また、上記中枠２には、その中皿収容部１７の左右両側面下端部に相対向する状態で、左右一対のレール（凸条）２１が上記中皿収容部１７の前端面から奥側に向かって突設されている。これら各弾性板２７ａ〜２７ｃ、２８（固定手段）は、上記化粧料容器を床上等に落下等させてもこの落下等時の衝撃や振動を吸収して中皿３等を保護する作用をも有している。
【００２６】
また、上記中皿３には、その左右両側面に左右一対のスライド用切欠き溝部３ａ（図２６参照。この図２６では、一方のスライド用切欠き溝部３ａしか図示せず）が、上記両レール２１に相対向する状態で、上記中皿３の底面から上方に向かって延びるようにして切欠き形成されており、これら両スライド用切欠き溝部３ａの上面が、上記両レール２１に摺動自在に載置されるようにしている。
【００２７】
上記構成において、上記容器本体１の中枠収容凹部１ａに中枠２を収容したのち、この中枠２の中皿収容部１７に中皿３を収容する場合には、まず、中枠２を上方に回動させて中枠２の中皿収容部１７の挿通口が上記中枠収容凹部１ａの上面開口部の上方に露呈する傾斜姿勢（起立状態）にし（図２７参照）、ついで、上記中皿収容部１７の挿通口に中皿３を位置決めし、つぎに、この中皿３の両スライド用切欠き溝部３ａの上面を中皿収容部１７の両レール２１上に載置するようにして、中皿３を挿通口から挿入し、上記両レール２１上を摺動させながら奥側に押し込んだ（図２８参照）のち中枠２および中皿３を下方に押して中皿収容部１７に収容することを行う（図２９参照）。この収容状態では、上記中皿３の左右両側面および前後両側面が上記各弾性板２７ａ〜２７ｃ、２８で当接状に位置決め固定されている（図２９では、左右両弾性板２７ｂ，２７ｃは図示せず）。それ以外の部分は上記実施の形態と同様であり、同様の部分には同じ符号を付している。この実施の形態でも、上記実施の形態と同様の作用・効果を奏する。しかも、上記各弾性板２７ａ〜２７ｃ、２８により中皿３を中枠２の中皿収容部１７に確実に収容，固定することができる。
【００２８】
図３０は本発明の化粧料容器のさらに他の実施の形態に用いる中枠２を示している。この実施の形態では、上記中枠２および中皿３に、中皿３を中枠２の中皿収容部１７に着脱自在に固定するための固定手段が設けられている。より詳しく説明すると、上記中枠２には、その中皿収容部１７の後側壁１９ｄに、上記他の実施の形態と同様に、一条の凸条２８ａが突設されだ後側弾性板２８が形成されている。
【００２９】
また、上記中枠２には、その中皿収容部１７の左側壁１９ａおよび仕切壁１６にそれぞれ、両レール２１（図３０では、仕切壁１６に設けたレール２１は図示せず）に沿って延びる前後一対のコ字状切欠き部１７ｃが切欠き形成されており（図３０では、仕切壁１６に切欠き形成した両コ字状切欠き部１７ｃは図示せず）、これら各コ字状切欠き部１７ｃのコ字状で挟まれた部分が弾性板２９（固定手段）に形成されている。また、上記各コ字状切欠き部１７ｃのコ字状の下辺は、上記両レール２１のレール面に沿って切欠き形成されている。
【００３０】
また、上記各弾性板２９のうち、両前側弾性板２９は、その前端が上記左側壁１９ａもしくは仕切壁１６から延設されているとともに後端が遊端部となっており、両後側弾性片２９は、その後端が上記左側壁１９ａもしくは仕切壁１６から延設されているとともに前端が遊端部となっており、上記各遊端部の内側面に、閉蓋状態で中皿３の左右両側面の係合用凹部３ｂに着脱自在に係合する係合用凸部２９ａが突設されている。これら各係合用凸部２９ａはそれぞれ直方体形状に形成されているとともに、上記両前側弾性板２９では上記係合用凸部２９ａの前面が傾斜面に形成されており、上記両後側弾性板２９では上記係合用凸部２９ａの後面が傾斜面に形成されている。
【００３１】
上記中皿３には、図３１に示すように、その左右両側面に、上記他の実施の形態と同様に、左右一対のスライド用切欠き溝部３ａが切欠き形成されている。また、上記中皿３には、その左右両側面に、上記各弾性板２９の係合用凸部２９ａに着脱自在に係合する前後一対の係合用凹部３ｂ（固定手段）（図３１では、左側面の両係合用凹部３ｂは図示せず）が、上記両スライド用切欠き溝部３ａの上面から上方に切欠き形成されている。それ以外の部分は、図１〜図２２に示す実施の形態と同様であり、同様の部分には同じ符号を付している。この実施の形態でも、図１〜図２２に示す実施の形態と同様の作用・効果を奏する。しかも、上記各弾性板２８，２９により中皿３を中枠２の中皿収容部１７に確実に固定することができ、中枠２をどの角度に傾斜させても、中皿３は中枠２から落下することがない。なお、上記各係合用凸部２９ａは、半球状等の各種形状にすることができ、上記各係合用凹部３ｂも、半球面状等の各種形状にすることができる。
【００３２】
図３２は本発明の化粧料容器のさらに他の実施の形態に用いる中枠２を示している。この実施の形態では、上記中枠２および中皿３に、中皿３を中枠２の中皿収容部１７に着脱自在に固定するための固定手段が設けられている。より詳しく説明すると、上記中枠２には、その中皿収容部１７の後側壁１９ｄに、上記他の実施の形態と同様に、一条の凸条２８ａが突設された後側弾性板２８が形成されている。
【００３３】
また、上記中枠２には、その中皿収容部１７の左側壁１９ａおよび仕切壁１６の前部にそれぞれ、両レール２１（図３２では、仕切壁１６に設けたレール２１は図示せず）に沿って延びるコ字状切欠き部１７ｃが切欠き形成されており（図３２では、仕切壁１６に切欠き形成したコ字状切欠き部１７ｃは図示せず）、これら両コ字状切欠き部１７ｃのコ字状で挟まれた部分が弾性板２９（固定手段）に形成されている。また、上記両コ字状切欠き部１７ｃのコ字状の下辺は、上記両レール２１のレール面に沿って切欠き形成されている。
【００３４】
また、上記両弾性板２９は、その前端が上記左側壁１９ａもしくは仕切壁１６から延設されているとともに後端が遊端部となっており、これら両遊端部の内側面に、閉蓋状態で中皿３の左右両側面の係合用凹部３ｂに着脱自在に係合する係合用凸部２９ａが突設されている。これら両係合用凸部２９ａは直方体形状に形成されており、その前面が傾斜面に形成されている。
【００３５】
上記中皿３には、図３３に示すように、その左右両側面に、上記他の実施の形態と同様に、左右一対のスライド用切欠き溝部３ａが切欠き形成されている。また、上記中皿３には、その左右両側面の前部（上記両弾性板２９の係合用凸部２９ａに対応する部分）に、上記両弾性板２９の係合用凸部２９ａに着脱自在に係合する係合用凹部３ｂ（固定手段）（図３３では、左側面の係合用凹部３ｂは図示せず）が上記両スライド用切欠き溝部３ａの上面から上方に切欠き形成されているとともに、上記左右両側面の後部（上記中皿３の前後を逆にしたときに、上記両弾性板２９の係合用凸部２９ａに相対向する部分）にも、上記両弾性板２９の係合用凸部２９ａに着脱自在に係合する係合用凹部３ｂ（固定手段）（図３３では、左側面の係合用凹部３ｂは図示せず）が上記両スライド用切欠き溝部３ａの上面から上方に切欠き形成されている。それ以外の部分は、図１〜図２２に示す実施の形態と同様であり、同様の部分には同じ符号を付している。この実施の形態でも、図１〜図２２に示す実施の形態と同様の作用・効果を奏する。しかも、上記各弾性板２８，２９により中皿３を中枠２の中皿収容部１７に確実に固定することができ、中枠２をどの角度に傾斜させても、中皿３は中枠２から落下することがない。また、上記中皿３の前後を逆にした場合にも、中皿３を中枠２の中皿収容部１７に確実に固定することができる。
【００３６】
なお、上記各実施の形態では、中枠２を容器本体１に着脱自在に連結しているが、これに限定するものではなく、中枠２に穿設した貫通穴に、容器本体１に架設した軸体を挿通する等して着脱不能に連結してもよい。また、上記各実施の形態では、中枠２を容器本体１の中枠収容凹部１ａに収容した状態で、中枠２に収容した中皿３と容器本体１の底壁との間に隙間を設けているが、中皿３の高さを、これを中皿収容部１７に収容した状態で中皿３の下面が中皿収容部１７の下面開口部に位置するように設定し、中皿３が容器本体１の底壁上に載置されるようにしてもよい。また、上記各実施の形態において、中枠２の左側壁１１ａもしくは仕切壁１６に挿通口を形成し、この挿通口から中皿３を挿入して中皿収容部１７に収容してもよい。また、上記実施の形態において、中枠２を中枠収容凹部１ａに収容した状態で、中枠２を中枠収容凹部１ａに着脱自在に固定する固定手段を設けてもよい。
【００３７】
また、上記実施の形態では、中皿収容部１７の挿通口から挿入された中皿３を中皿収容部１７に案内するため、中皿収容部１７のレール２１上に中皿３のスライド用凸部２４をスライド自在に載置しているが、中皿収容部１７から突設した凸部を、中皿３に設けた凹部にスライド自在に係合させてもよいし、スライド用凸部２４に代えて回転体を中皿３に取り付けてもよいし、各種の手段が考えられる。また、上記実施の形態では、中皿収容部１７に収容された中皿３の両スライド用凸部２４を、上記両帯状側板２２ａにより抜け止めしているが、中皿３の周側壁上に両角板２２ｂ，前板２２ｃの一部を配設することにより両角板２２ｂ，前板２２ｃで抜け止めしてもよい。
【００３８】
また、上記各実施の形態では、中枠２を枠状体（すなわち、底壁を設けない構造）に形成しているが、これに限定するものではなく、皿状体（すなわち、底壁を設けた構造）に形成してもよい。また、上記各実施の形態では、容器本体１を皿状体に形成し、本発明の化粧料容器の中枠収容部として、容器本体１の上面に中枠収容凹部１ａ（すなわち、底壁を設けた構造）を形成しているが、容器本体１を枠状体に形成し、上記中枠収容部として、容器本体１を上下に貫通する貫通穴（すなわち、底壁を設けない構造）を形成してもよい。また、上記各実施の形態では、上記両係合用凸部１２を容器本体１の左右両側面に形成しているが、前後両側面に形成してもよいし、どの部分に形成してもよい。この場合には、上記両被係合用凹部２０の形成個所を、上記両係合用凸部１２の形成個所に対応させて形成することを行う。また、上記各実施の形態では、上記両係合用凸部１２を円柱形状に形成しているが、円筒形状でもよいし、これら以外の形状でもよい。また、上記両被係合用凹部２０の形状も、各種の形状にすることができる。また、上記各実施の形態において、上記係合用凸部１２，被係合用凹部２０をそれぞれ一つだけ形成してもよい。
【００３９】
また、上記他の実施の形態では、容器本体１と中枠２に固定手段を設け、上記さらに他の実施の形態では、中枠２と中皿３に固定手段を設けているが、容器本体１と中枠２と中皿３の全てに固定手段を設けてもよいし、容器本体１と中皿３にだけ設けてもよいし、容器本体１と中枠２と中皿３の１つにだけ設けてもよい。また、上記他の実施の形態および上記さらに他の実施の形態において、上記中枠２の中皿収容部１７の左側壁１９ａおよび仕切壁１６の一方にだけコ字状切欠き部１７ｃを切欠き形成して弾性板２９を設けるようにしてもよい。また、上記さらに他の実施の形態において、弾性板２９をレール２１の下側に設けるようにしてもよい。
【図面の簡単な説明】
【００４０】
【図１】本発明の化粧料容器の一実施の形態を示す断面図である
【図２】容器本体に中枠，中皿を収容した状態を示す断面図である。
【図３】上記容器本体に中枠，中皿を収容した状態を示す平面図である。
【図４】上記容器本体の平面図である。
【図５】上記容器本体の断面図である。
【図６】上記容器本体の要部の断面図である。
【図７】上記中枠の断面図である。
【図８】上記中枠の平面図である。
【図９】上記中枠の裏面図である。
【図１０】上記中枠の背面図である。
【図１１】上記中枠の側面図である。
【図１２】上記中枠の斜視図である。
【図１３】上記中枠の要部の斜視図である。
【図１４】上記中皿の断面図である。
【図１５】上記中皿の裏面図である。
【図１６】上記中皿の斜視図である。
【図１７】上記中枠の収容方法を示す斜視図である。
【図１８】上記容器本体と中枠との係合状態を示す説明図である。
【図１９】上記中皿の収容方法を示す斜視図である。
【図２０】上記中皿の収容方法を示す要部の斜視図である。
【図２１】上記中皿の収容方法を示す斜視図である。
【図２２】上記中枠の収容状態を示す要部の斜視図である。
【図２３】本発明の化粧料容器の他の実施の形態を示す断面図である
【図２４】容器本体の要部の斜視図である。
【図２５】中枠の要部の斜視図である。
【図２６】中皿の側面図である。
【図２７】上記中皿の収容方法を示す断面図である。
【図２８】上記中皿の収容方法を示す断面図である。
【図２９】上記中皿の収容方法を示す断面図である。
【図３０】本発明の化粧料容器のさらに他の実施の形態に用いられる中枠の要部の斜視図である。
【図３１】中皿の斜視図である。
【図３２】本発明の化粧料容器のさらに他の実施の形態に用いられる中枠の斜視図である。
【図３３】中皿の斜視図である。
【図３４】従来例を示す分解斜視図である。
【符号の説明】
【００４１】
１  容器本体
１ａ  中枠収容凹部
２  中枠
３  中皿
１７  中皿収容部
【図１】
0004845460.tif 000002
【図２】
0004845460.tif 000003
【図３】
0004845460.tif 000004
【図４】
0004845460.tif 000005
【図５】
0004845460.tif 000006
【図６】
0004845460.tif 000007
【図７】
0004845460.tif 000008
【図８】
0004845460.tif 000009
【図９】
0004845460.tif 000010
【図１０】
0004845460.tif 000011
【図１１】
0004845460.tif 000012
【図１２】
0004845460.tif 000013
【図１３】
0004845460.tif 000014
【図１４】
0004845460.tif 000015
【図１５】
0004845460.tif 000016
【図１６】
0004845460.tif 000017
【図１７】
0004845460.tif 000018
【図１８】
0004845460.tif 000019
【図１９】
0004845460.tif 000020
【図２０】
0004845460.tif 000021
【図２１】
0004845460.tif 000022
【図２２】
0004845460.tif 000023
【図２３】
0004845460.tif 000024
【図２４】
0004845460.tif 000025
【図２５】
0004845460.tif 000026
【図２６】
0004845460.tif 000027
【図２７】
0004845460.tif 000028
【図２８】
0004845460.tif 000029
【図２９】
0004845460.tif 000030
【図３０】
0004845460.tif 000031
【図３１】
0004845460.tif 000032
【図３２】
0004845460.tif 000033
【図３３】
0004845460.tif 000034
【図３４】
0004845460.tif 000035